(57)【要約】  本発明は、透明または半透明のウィンドウ（１０）を備えた密封ケーシング（４）と、前記ケーシング内に配置され、前記ウィンドウの少なくとも主要部分を覆っている蛍光物質の層（３）と、前記ケーシング内に配置され、電子を放出させるための電子放出陰極（１）と、陽極（２）とを備えた、光を放出させるための構造に関する。前記ケーシングには電子なだれ増幅に適したガスが充填されている。使用中、前記陰極および陽極は、前記放出された電子を前記ガス中で加速し、かつ、なだれ増幅させる電位に保持される。前記層は、なだれ増幅した電子による衝撃に応答して、かつ／またはなだれ増幅した電子とガスとの間の相互作用によってガス中に放出される紫外光への露光に応答して、前記ウィンドウを通して光を放出するように構成されている。
2005513732.tif 000002
【特許請求の範囲】
【請求項１】
透明または半透明のウィンドウ（１０）を備えた密封ケーシング（４）と、
前記ケーシング内に配置され、前記ウィンドウの少なくとも主要部分を覆っている蛍光物質の層（３）と、
前記ケーシング内に配置され、電子を放出させるための電子放出陰極（１）と、
陽極（２）と、からなる光を放出するための構造であって、
電子なだれ増幅に適したガスが前記ケーシングに充填され、
使用中、前記陰極および陽極が、前記放出された電子を前記ガス中で加速し、かつ、なだれ増幅させるような電位に保持され、
前記層が、なだれ増幅した電子による衝撃に応答して、かつ／または該なだれ増幅した電子と該ガスとの間の相互作用によって該ガス中に放出される紫外光への露光に応答して、前記ウィンドウを通して光を放出するように構成されたことを特徴とする構造。
【請求項２】
前記陰極が熱放出陰極であり、前記構造が、前記陰極を加熱することによって電子を放出させるための加熱器手段（２０）を備えた、請求項１に記載の構造。
【請求項３】
前記陰極が電界放出陰極であり、使用中、前記陽極が、前記陰極から電子を放出させることが可能であるように、前記陰極の電位より高い電位に保持される、請求項１に記載の構造。
【請求項４】
使用中、前記陽極が、前記陰極から電子を放出させるべく、前記陰極の電位より高い電位に保持され、前記構造が、前記陰極を加熱することによって前記電子の放出を容易にするための加熱器手段（２０）を備えた、請求項１に記載の構造。
【請求項５】
前記陽極と前記陰極の間に配置された変調用電極（５）を備え、使用中、前記変調用電極が、前記電子を放出させるための第１の電界を前記陰極と前記変調用電極の間に生成し、かつ、放出された電子を前記なだれ増幅させるための第２の電界を前記変調用電極と前記陽極の間に生成すべく、前記陰極の電位より高く、かつ、前記陽極の電位より低い電位に保持される、請求項３または４に記載の構造。
【請求項６】
前記変調用電極が、前記陰極よりも前記陽極の方に近接して配置された、請求項５に記載の構造。
【請求項７】
前記変調用電極と前記陽極の間に配置されたなだれ電極（６）を備え、使用中、前記なだれ電極が、異なる電界の２つの異なる工程で前記なだれ増幅させるべく、前記変調用電極の電位より高く、かつ、前記陽極の電位より低い電位に保持される、請求項５または６に記載の構造。
【請求項８】
前記変調用電極と前記陽極の間に配置されたなだれ電極（６）を備え、使用中、前記なだれ電極が、前記なだれ増幅した電子を前記なだれ電極に集めるべく、前記変調用電極の電位より高く、かつ、前記陽極の電位より高い電位に保持される、請求項５または６に記載の構造。
【請求項９】
前記変調用電極および前記なだれ電極を明確に画定された距離に維持すべく、前記変調用電極と前記なだれ電極の間に誘電体（２１）が配置された、請求項７または８に記載の構造。
【請求項１０】
前記変調用電極および前記なだれ電極が、前記誘電体上のメタライゼーションとして提供された、請求項９に記載の構造。
【請求項１１】
前記なだれ電極が、前記変調用電極よりも前記陽極の方に近接して配置された、請求項７から１０のいずれか一項に記載の構造。
【請求項１２】
前記陽極が、前記蛍光層の上に前記陰極と対向して配置され、前記陽極が前記なだれ増幅した電子に対して透過性である、請求項１から１１のいずれか一項に記載の構造。
【請求項１３】
前記陽極が前記蛍光層と前記ケーシングの間に配置され、前記陽極が光に対して透明である、請求項１から１１のいずれか一項に記載の構造。
【請求項１４】
前記陰極が、前記陽極と対向する不均一な表面を有する、請求項１から１３のいずれか一項に記載の構造。
【請求項１５】
複数の陰極を備えた、請求項１から１４のいずれか一項に記載の構造。
【請求項１６】
前記蛍光物質が、単一の物質またはＹ2Ｏ2Ｓ：Ｅｕの混合物、ＺｎＳ：Ｃｕ：Ａｌの混合物およびＺｎＳ：Ｃｌの混合物などの混合物質からなる、請求項１から１５のいずれか一項に記載の構造。
【請求項１７】
前記陽極および前記陰極が、平面対称性、円筒対称性または球面対称性を有する、請求項１から１６のいずれか一項に記載の構造。
【請求項１８】
前記ケーシングがディフューザによって取り囲まれている、請求項１から１７のいずれか一項に記載の構造。
【請求項１９】
前記電位の変更を許容し、それにより前記蛍光層から放出される光を変更するエレクトロニクスを備えた、請求項１から１８のいずれか一項に記載の構造。
【請求項２０】
請求項１から１９のいずれか一項に記載の構造と、前記構造を支持するホルダと、前記構造を取り囲むディフューザとを備えた、２つの部分からなるランプ・ハウジング。
【請求項２１】
電子なだれ増幅に適したガス、蛍光物質（３）、電子放出陰極（１）、及び、陽極（２）からなるデバイスにおいて光を放出させるための方法であって、
前記陽極および前記陰極を前記陰極から電子が放出される電位に保持する工程であって、前記陰極から放出された電子が前記ガス中でなだれ増幅し、前記なだれ増幅した電子が前記蛍光物質に衝撃を与えるように構成され、蛍光物質が、前記なだれ増幅した電子による衝撃に応答して、かつ／または該なだれ増幅した電子と該ガスとの間の相互作用によって該ガス中に放出される紫外光への露光に応答して光を放出することを特徴とする方法。
【請求項２２】
前記デバイスが変調用電極（５）をさらに備え、前記方法が、
前記陰極からの前記電子の放出および前記放出された電子の前記なだれ増幅が２つの異なる電界で実施されるように、前記変調用電極を、前記陰極の電位より高く、かつ、前記陽極の電位より低い電位に保持する工程を備える請求項２１に記載の方法。
【請求項２３】
前記デバイスがなだれ電極（６）をさらに備え、前記方法が、
前記なだれ増幅が異なる電界の２つの工程で実施されるように、前記なだれ電極を、前記変調用電極の電位より高く、かつ、前記陽極の電位より低い電位に保持する工程を備える請求項２２に記載の方法。
【請求項２４】
前記デバイスがなだれ電極（６）をさらに備え、前記方法が、
前記なだれ増幅した電子が前記なだれ電極に集まるように、前記なだれ電極を、前記変調用電極の電位より高く、かつ、前記陽極の電位より高い電位に保持する工程を備える請求項２２に記載の方法。
【請求項２５】
前記蛍光物質から放出される光を変更すべく前記電位を変更する工程をさらに備える請求項２１から２４のいずれか一項に記載の方法。
【請求項２６】
電子なだれ増幅に適したガス、蛍光物質（３）、電子放出陰極（１）、及び、陽極（２）を備えたデバイスにおいて光を放出させるための方法であって、
前記陰極から電子が放出されるように前記陰極を加熱する工程と、
前記陽極および前記陰極を、前記陰極から放出された電子が前記ガス中でなだれ増幅する電位に保持する工程であって、前記なだれ増幅した電子が前記蛍光物質に衝撃を与えるように構成され、蛍光物質が、前記なだれ増幅した電子による衝撃に応答して、かつ／または該なだれ増幅した電子と該ガスとの間の相互作用によって該ガス中に放出される紫外光への露光に応答して光を放出する工程とを有することを特徴とする方法。
【請求項２７】
前記デバイスが変調用電極（５）をさらに備え、前記方法が、
前記放出された電子の前記なだれ増幅が異なる電界の２つの工程で実施されるように、前記変調用電極を、前記陰極の電位より高く、かつ、前記陽極の電位より低い電位に保持する工程を備える請求項２６に記載の方法。
【請求項２８】
前記デバイスから放出される光の光分布の不均一性が均一化されるように、前記デバイスがディフューザによって取り囲まれた、請求項２１から２７のいずれか一項に記載の方法。
【発明の詳細な説明】
【技術分野】
【０００１】
本発明は一般に陰極ルミネセンス光源に関し、より詳細には、電子放出陰極および蛍光物質を使用した、光を放出するための構造および方法に関する。
【背景技術】
【０００２】
光源の１つのタイプは蛍光管である。蛍光管の内部では、ガス放電が蛍光物質に紫外（ＵＶ）光を放出させている。この光源には重大な欠点があり、例えば電源が投入された後、光源が全出力で放射を開始するまで常に遅延が存在している。また、この光源には複雑な制御装置が必要であり、そのための空間および余計なコストが必要である。さらに、この光源は、残念なことには、環境に対する負の影響を有する水銀などの物質を使用しなければならない。また、蛍光物質の選択肢は、ＵＶ感応物質に限定されている。ＵＶに感応する蛍光物質のほとんどは、目および快適性にとって最適ではないスペクトル形状の光を放出している。最後に、この種の光源は、どちらかと言えばしばしば温度に敏感であり、そのために低温でスイッチオンの後に長時間が経過すると、高温に比べて、放出強度が著しく低下する。
【０００３】
光源の別のタイプは陰極ルミネセンス光源である。陰極ルミネセンス光源の場合、陰極を加熱することによって陰極から電子が放出される、つまり、熱によって電子が放出されるか、あるいは陰極表面の近傍に強力な電界を使用することによって陰極から電子が放出される、つまり、電界放出によって電子が放出される。米国特許第５８７７５８８号明細書および米国特許６００８５７５号明細書に、陰極表面の近傍に強力な電界を使用した電界放出陰極光源の例が開示されている。
【０００４】
熱放出陰極の主な欠点は、陰極を加熱する際に大量のエネルギーが失われることである。電界放出陰極および熱放出陰極に共通する主な欠点は、光を生成するすべての電子を陰極から放出させなければならないため、高放出電流によって陰極が摩耗することである。これは、高電子流を陰極表面から放出させなければならないことを意味しているが、そのために陰極構造および陰極の製造が複雑になっている。また、現在の陰極ルミネセンス光源は、真空中でのみ動作するため、光源の周囲の壁を分厚くしなければならない。
【発明の開示】
【発明が解決しようとする課題】
【０００５】
本発明の目的は、従来技術による光源と比較してより明るい光を提供し、かつ、上述した欠点の少なくともいくつかが解決された改良型光源および方法をそれぞれ提供することにある。
【課題を解決するための手段】
【０００６】
この目的は、他の目的と共に、特許請求の範囲の各請求項で定義されている、それぞれ本発明による構造および方法によって達成される。
陰極ルミネセンス光源における電子なだれ増幅に適したガスを提供することにより、より明るい光が得られる。また、大半の電子がガスから遊離し、陰極表面からは電子が放出されないため、陰極からの放出電流が小さくなり、それにより陰極の構造が簡易化され、かつ、陰極の寿命が長くなる。
【０００７】
ガスが充填された光源内の圧力が真空よりはるかに高く、典型的には大気圧であるため、光源の壁の厚さをより薄くすることが可能であり、延いては光源をより軽量にすることが可能である。
【０００８】
電子なだれ増幅の間、蛍光物質を誘導することができるＵＶ光が電子と共に放出され、それにより蛍光物質が光を放出する。単位光出力当たりの総電子流は、従来の陰極ルミネセンス光源の総電子流より小さいため、光源の設計が簡易化される。
【０００９】
なだれ電圧を変化させることによって電界放出陰極の放出電流および／または電子なだれ増幅を容易に変化させることができるため、光源を容易に調光することができる。
本発明のその他の特徴および利点については、以下に示す実施形態についての以下の詳細な説明、および単なる説明目的に過ぎず、したがって本発明を何ら制限することのない添付の図から明らかになるであろう。
【発明を実施するための最良の形態】
【００１０】
以下、本発明の第１の実施形態について、図１Ａおよび１Ｂを参照して説明する。
平面陰極ルミネセンス光源は、ケーシング４の内部に、平面陰極１、陰極１と平行の平面陽極２および蛍光層３を備えている。ケーシング４はウィンドウ１０を有しており、光源からの光の出現を可能にしている。蛍光層３は、ウィンドウ１０の内側に配置され、陽極２は、蛍光層３の表面に配置され、陰極１と対向している。
【００１１】
ケーシング４は密封され、電子なだれ増幅に適したガスが充填されている。ケーシング４の外部にディフューザが配置されている（図示せず）。ディフューザは光度をレベル化し、光源の様々な領域からの様々な光度を補償している。
【００１２】
平面陰極１には、陽極２と対向している表面１Ａから電子を放出させるべく誘導することが可能な任意のタイプの陰極を使用することができる。平面陰極１の表面は、滑らかな表面であっても、あるいは不均一な表面であっても良い。表面１Ａの不均一性は、例えば表面にレーザ光を照射することによって形成することができ、あるいはエッチング、機械による荒削り、もしくは不均一形状を生成する物質、例えばカーボンナノチューブ、フラーレン等などを付着させることによって形成することができる。電子の放出は、陰極１を加熱し、電子を熱放出させることによって提供され、あるいは陰極１の表面の近傍に強力な電界を印加し、電子を電界放出によって放出させることによって提供される。また、電界放出陰極を加熱することにより、非加熱電界放出陰極の場合と比較した場合に、より微弱な電界の印加によって電子を放出させることも可能である。
【００１３】
平面陽極２は、高エネルギー電子に対して透過性であり、このような電子を陽極に侵入させ、蛍光層３に衝撃を与えることができる。平面陽極２には、例えば薄箔を使用することができ、あるいはメッシュ形状にすることもできる。
【００１４】
別法としては、図１Ｂに示すように、蛍光層３とケーシング４との間に陽極２を配置することもできる。この場合、平面陽極２は光に対して透明でなければならず、したがって透明導体で形成されるか、あるいはメッシュ形状を有することになるが、陽極は電子に対しては透明であってはならない。この場合、陽極２をケーシング４の一部にすることが可能であり、例えばケーシング４を導電材料、例えば導電性ガラスあるいはプラスチックで構築することが可能である。
【００１５】
蛍光層３は、単一の物質で構成することも、あるいは混合物質、例えばＹ2Ｏ2Ｓ：Ｅｕの混合物、ＺｎＳ：Ｃｕ：Ａｌの混合物およびＺｎＳ：Ｃｌの混合物で構成することもできる。
【００１６】
電子なだれ増幅に適したガスには、例えば任意の希ガス、窒素または９０％アルゴンおよび１０％メタンなどの炭化水素ガスと混合された希ガスを使用することができる。このガスの圧力は大気圧であることが好ましいが、大気圧未満であっても、あるいは大気圧以上であっても良く、０．００１〜２０ａｔｍ（１．０１３２５〜２０２６５ｈＰａ）の範囲であることが好ましい。
【００１７】
使用中、陽極２と陰極１の間に電圧Ｕが印加される。この電圧Ｕは、電界放出の場合、陰極１から電子を放出させるだけの十分な大きさの電圧でなければならない。また、この電圧Ｕは、いかなる場合においてもガス中の電子をなだれ増幅させるだけの十分な大きさの電圧でなければならない。なだれ増幅した電子は、陽極２ひいては蛍光層３に向かって加速される。蛍光層３で電子が吸収され、それにより蛍光層３の蛍光物質が励起される。緩和の間、蛍光層３が明るい可視光を放出する。
【００１８】
電子なだれ増幅の間、蛍光物質を誘導することができるＵＶ光が電子と共に放出され、それにより蛍光物質が光を放出する。この物理過程は、電子衝撃と共に使用して光を生成することも、あるいは電子衝撃とは別に単独に使用して光を生成することもできる。
【００１９】
ガス中のなだれ増幅を使用する利点は、陰極から放出された電子が陰極１と陽極２の間の電界によって加速されてガスをイオン化し、新しい電子がガスから放出され、新しく放出された電子が加速されてガスをさらにイオン化することである。したがって、光を提供する電子の主要部分がガスから引き出され、陰極からは引き出されないため、陰極の摩耗が少なくなる。ガスは触媒として機能し、ガスがイオン化される際に形成される正イオンが陰極に向かって流動すると、そこで中和されてガスに戻る。
【００２０】
圧力が１ａｔｍ（１０１３．２５ｈＰａ）のアルゴンとメタンのガス中における陽極２と陰極１の間の距離が１ｍｍの場合、陰極１から電子を放出させ、かつ、放出された電子をなだれ増幅するには、通常、１０００Ｖの電圧で十分である。
【００２１】
光源の寸法は、意図する用途に応じて劇的に変更することができ、また、極めて細長い発光表面にすべく、方形の形の光源を製造することができる。
次に、図２を参照して本発明の第２の実施形態について説明する。第２の実施形態は、以下の点を除いて第１の実施形態と同じである。
【００２２】
図２に示す平面陰極ルミネセンス光源は、さらに、陽極２と陰極１の間の、好ましくは陰極１よりも陽極２に近接して配置された変調用電極５を備えている。変調用電極５の形状は、電子を通過させるメッシュ形状であることが好ましい。
【００２３】
陰極から電界放出によって電子を放出させるために必要な電界は、通常、電子をなだれ増幅させるために必要な電界より小さく、したがって、陽極２の近傍に変調用電極を提供することにより、陰極１から放出された電子をなだれ増幅させるための極めて高い電圧を陽極２の近傍に印加する必要なく、十分に強力な電界が得られる。
【００２４】
光源に変調用電極を提供することにより、ガスがイオン化される際に形成される正イオンが変調用電極に向かって流動し、そこで中和されてガスに戻る。
使用中、変調用電極５と陰極１との間に第１の電圧Ｕ１が印加され、それにより陰極１から電子が放出され、かつ／または陰極１から放出された電子が加速される。また、陽極２と変調用電極５との間に、ガス中に放出された電子をなだれ増幅させ、かつ、なだれ増幅した電子が陽極２に侵入し、侵入した電子に応答して光を放出する蛍光層３に衝撃を与えることができるように、ガス中に放出された電子に十分に大きい運動エネルギーを付与するだけの十分な大きさの第２の電圧Ｕ２が印加される。
【００２５】
次に、図３を参照して本発明の第３の実施形態について説明する。この第３の実施形態は、以下の点を除いて第２の実施形態と同じである。
平面陰極ルミネセンス光源は、さらに、陽極２と変調用電極５との間の、好ましくは陽極２よりも変調用電極５に近接して配置されたなだれ電極６を備えている。なだれ電極６の形状は、電子を通過させるメッシュ形状であることが好ましい。格子を使用して変調用電極５およびなだれ電極６のメッシュ形状を構成することができる。電極５および６は、互いに平行に配置され、かつ、互いに整列した開口を有していることが好ましい。
【００２６】
変調用電極５となだれ電極６との間にポリアミド膜などの誘電体２１を配置し、変調用電極５およびなだれ電極６を明確に画定された距離を隔てて維持することができる。この誘電体２１には、格子の開口と正確に整合した開口、あるいは格子５および６の開口より広い開口もしくは狭い開口を持たせることができる。誘電体２１を利用して電極５および６を安定させる場合、誘電体２１を金属化することによって電極の格子を製造することができる。
【００２７】
光源に変調用電極およびなだれ電極を提供することにより、ガスがイオン化される際に形成される正イオンがそれぞれ変調用電極およびなだれ電極に向かって流動し、そこで中和されてガスに戻る。
【００２８】
使用中、変調用電極５と陰極１の間に第１の電圧Ｕ１が印加され、それにより陰極１から電子が放出され、かつ／または陰極１から放出された電子が加速される。また、なだれ電極６と変調用電極５の間に第２の電圧Ｕ２が印加され、ガス中に放出された電子が加速される。場合によっては、放出された電子をなだれ増幅させるべく、電圧Ｕ２を十分に高い電圧にすることができる。さらに、陽極２となだれ電極６の間に、既に増幅済みの電子をさらになだれ増幅させるか、あるいは陽極２に向かって電子を流動させ、かつ、陽極２を貫通させ、貫通した電子に応答して光を放出する蛍光層３を衝撃させるだけの十分な大きさの第３の電圧Ｕ３が印加される。第２の電圧Ｕ２が電子をなだれ増幅させることを条件として、第３の電圧Ｕ３に逆電界を持たせ、それにより陽極２上ではなく、なだれ電極６上に電子を集めることができる。なだれ効果によって電極５と６の間のギャップにＵＶ光が形成され、それにより電子を衝撃させることなく蛍光層３が照射される。これは、蛍光層３とウィンドウ１０の間に陽極２を配置する場合、あるいは陽極２がケーシング４の一部である場合、とりわけ有利である。
【００２９】
次に、図４Ａおよび４Ｂを参照して本発明の第４の実施形態について説明する。
円筒陰極ルミネセンス光源は、ケーシング（図示せず）の内部に、断面が円形の棒陰極１、断面が環状の円筒陰極２および円筒状蛍光物質３を備えている。ケーシングはウィンドウを有しており、光源からの光の出現を可能にしている。蛍光層３は、ウィンドウの内側を覆うように配置することができる。陽極２は、円筒状蛍光物質３の上に陰極１と対向して配置されることが好ましい。
【００３０】
ケーシングは密封され、電子なだれ増幅に適したガスが充填されている。ケーシングの外部にディフューザが配置されており（図示せず）、光度をレベル化し、光源の様々な領域からの様々な光度を補償している。
【００３１】
棒陰極１には、第１の実施形態に関連して上述した陰極表面と同様の表面、すなわち滑らかな表面あるいは不均一な表面を持たせることができる。別法としては、放射状に展開し、したがって図４Ｂに示す棒形形状を形成している複数のディスクを形成する複数のファイバ、例えばカーボンファイバ、カーボンナノチューブ、フラーレン等を使用して陰極１を構成することができる。
【００３２】
陽極２は、高エネルギー電子に対して透過性であり、したがってこのような電子を陽極２に侵入させ、円筒状蛍光層３に対して衝撃を与えることができる。陽極２には、例えば薄箔を使用することができ、あるいは形状をメッシュ形状にすることもできる。
【００３３】
距離、蛍光物質、ガス含有量および印加電圧は、上述した第１の実施形態と同様にすることができる。
第４の実施形態は、円筒対称性を有しているものとして説明されているが、別法としては球面対称性を持たせることもできる。
【００３４】
また、この実施形態は、第２の実施形態で説明した変調用電極を備えることができ、さらに、第３の実施形態で説明したなだれ電極および誘電体を備えることもできる。
図５に示す本発明の第５の実施形態は、陰極１および陽極２の断面が正方形である点を除いて第４の実施形態と同じである。
【００３５】
次に、図６を参照して本発明の第６の実施形態について説明する。この第６の実施形態は、以下の点を除いて第１の実施形態と同じである。
加熱器２０によって陰極１が加熱され、陰極１からの電子の放出がブーストされる。
【００３６】
陽極２は平面状ではないが、表面の一部が陰極１と平行であり、かつ、一部が陰極１に対して直角をなしている。したがって、電界（図６の矢印で示す）を提供することにより、非平行平面から光が放出される。
【００３７】
また、この実施形態は、第２の実施形態と同様、変調用電極を備えることができ、さらに、第３の実施形態に関連して説明したなだれ電極および誘電体を備えることもできる。
次に、図７〜９を参照して、異なるタイプのランプ・ハウジングについて説明する。上で説明したディフューザをこのようなランプ・ハウジングに備えることができる。
【００３８】
図７は、第１のタイプのランプ・ハウジングを示したもので、ランプ取付け部品７およびガラス部品８を備えている。ランプ取付け部品７は不透明であり、例えば第１ないし第３の実施形態のうちのいずれか、あるいは第６の実施形態のような光源をランプ・ハウジングの内部に保持している。また、ランプ取付け部品７は、ランプ・ハウジングを壁、天井または他のサポートに固定するための手段を備えている。ランプ・ハウジングは、光源に結合されたエレクトロニクスを収納することもできる。ガラス部品８は透明または半透明であり、光源を保護し、かつ、光を光源から透過させるように構成されている。
【００３９】
図８は、ランプ・ハウジングの他の設計を示したもので、ランプ取付け部品７およびガラス部品８を備えている。ランプ取付け部品７は、例えば第４または第５の実施形態のような光源をランプ・ハウジング内に保持し、かつ、ランプ・ハウジングを保持するように構成されている。ガラス部品８は透明、半透明または不透明であり、円筒の対称軸に対して放射状に上向きおよび／または下向きに開口している。
【００４０】
図９は、ランプ・ハウジングのさらに他の設計を示したもので、ランプ取付け部品７およびガラス部品８を備えている。ランプ取付け部品７は不透明であり、例えば第４の実施形態の球面代替形態のような光源をランプ・ハウジング内に保持し、かつ、ランプ・ハウジングを天井に保持するように構成されている。ガラス部品８は透明または半透明である。
【００４１】
上述したすべての実施形態には、容易に調光器を設けることができる。光源に印加する電圧を変化させることにより、放出電流および／またはなだれ増幅を変化させることができ、延いては光源から放出される光の強度を変化させることができる。
【００４２】
本発明を複数の方法で変更することができることは明らかであろう。このような変形形態は、本発明の範囲内に帰するものとする。
【図面の簡単な説明】
【００４３】
【図１Ａ】本発明の一実施形態による光源の断面側面図。
【図１Ｂ】本発明の一実施形態による光源の断面側面図。
【図２】本発明の他の実施形態による光源の断面側面図。
【図３】本発明の他の実施形態による光源の断面側面図。
【図４Ａ】本発明の他の実施形態による光源の断面側面図。
【図４Ｂ】本発明の他の実施形態による光源の断面側面図。
【図５】本発明の他の実施形態による光源の断面側面図。
【図６】本発明の他の実施形態による光源の断面側面図。
【図７】本発明による光源と共に使用するランプ・ハウジングの斜視図。
【図８】本発明による光源と共に使用する他のランプ・ハウジングの斜視図。
【図９】本発明による光源と共に使用する他のランプ・ハウジングの斜視図。
【図１Ａ】
2005513732.tif 000003
【図１Ｂ】
2005513732.tif 000004
【図２】
2005513732.tif 000005
【図３】
2005513732.tif 000006
【図４Ａ】
2005513732.tif 000007
【図４Ｂ】
2005513732.tif 000008
【図５】
2005513732.tif 000009
【図６】
2005513732.tif 000010
【図７】
2005513732.tif 000011
【図８】
2005513732.tif 000012
【図９】
2005513732.tif 000013
【国際調査報告】
2005513732.tif 000014
2005513732.tif 000015
2005513732.tif 000016
2005513732.tif 000017